(57)【要約】【課題】従来品よりも小型であり、足場の悪い場所でも安全に正確な勾配測定を容易に行える勾配定規を提供する。【解決手段】被計測面２に当接する当接面１１を有する計測部材１０と、当接面１１に平行な回動中心軸３０をもって計測部材１０と軸支され、少なくとも回動中心軸３０に垂直な面内での水平度を検出する水準器２６を有する水平基準部材２０と、からなり、当接面１１が被計測面２に当接した状態で、水準器２６を用いて水平基準部材２０が水平平面１と平行となるように水平基準部材２０を回動することにより、水平平面１に対する測定部材１０の回動角度を被計測面２の勾配として計測する。【選択図】          図５
2004226390.tif 000002
【特許請求の範囲】
【請求項１】
被計測面に当接する当接面を有する計測部材と、該当接面に平行な回動中心軸をもって該計測部材と軸支され、少なくとも該回動中心軸に垂直な面内での水平度を検出する水準器を有する水平基準部材と、からなり、
前記当接面が前記被計測面に当接した状態で、前記水準器を用いて前記水平基準部材が水平平面と平行となるように該水平基準部材を回動することにより、水平平面に対する前記測定部材の回動角度を前記被計測面の勾配として計測することを特徴とする勾配定規。
【請求項２】
前記水平基準部材および前記計測部材は、前記回動中心軸に垂直かつ前記回動中心軸を中心とした角度目盛をもつ目盛表示面および回動角度を示す基準線部の一方および他方を有する請求項１記載の勾配定規。
【請求項３】
前記水平基準部材は、コンベックススケールのケースである請求項１記載の勾配定規。
【請求項４】
前記水準器は、水平面を検出する水平面計である請求項１記載の勾配定規。
【請求項５】
前記計測部材は、前記水平基準部材と嵌合する断面コ字型形状である請求項１記載の勾配定規。
【請求項６】
前記計測部材は、前記回動中心軸の水平度を検出する水準器を有する請求項１記載の勾配定規。
【請求項７】
被計測面に当接させる当接面と、水平平面を検出する平面計と、水平平面に対する該当接面の傾きを前記被計測面の勾配として計測する勾配計測手段と、を有することを特徴とする勾配定規。
【請求項８】
前記平面計は、互いに直交する方向の水平度を検知する２個の線型水準器からなる請求項７記載の勾配定規。
【発明の詳細な説明】
【０００１】
【発明の属する技術分野】
本発明は、土木工事、建築工事、設備工事の際の勾配計測に用いる勾配定規に関する。
【０００２】
【従来の技術】
勾配定規は、土木・建築工事・設備工事の際、道路勾配や屋根の流れ、配水管の勾配などを計測するのに用いられる計測器具である。
【０００３】
勾配の計測には、「水平平面は重力方向に対して垂直である」という原理が利用されている。そのため、液体の表面は常に水平になろうとする性質、また、おもりが重力方向に作用したときに静止する性質を利用した勾配定規が一般的である。
【０００４】
液体の性質を利用した例として、図１１の正面図に示す勾配定規がある。この勾配定規は、底面に当接面１’を有する定規本体１０’と、定規本体１０’の側面に設けられた角度目盛をもつドーナツ状の目盛板５’と、目盛板５’の中央に位置し円柱気泡管からなる水準器６’と、水準器６’と共に同軸的に回転し角度目盛を示す針７’からなる。被計測面の勾配を計測するには、被計測面に勾配定規の当接面１’を当接する。そして、水準器６’を回転することにより気泡を標線の中央で静止させる。水準器６’の回転と共に移動した針７’の示す目盛を読みとることで、被計測面の勾配を測定する。
【０００５】
しかしながら、上記の勾配定規は、当接面を被計測面に当てた状態で水準器を回転さる必要があり、例えば足場の悪い急斜面での作業においても水準器を回転させて気泡を標線の中央に合わせなければならないので、勾配の測定が困難である。また、幅の広い面の勾配を測定する際には、勾配定規の当接面を被計測面にまっすぐに当てるのが難しい。そのため、被計測に当接面を当てる位置にずれが生じ、被計測面と水平平面とに垂直な面内で勾配が計測されない場合も考えられ、計測が不正確となる恐れがある。
【０００６】
また、図１２の正面図に示す円弧状気泡管からなる水準器１６’を用いた勾配定規がある。円弧型気泡管とは、円柱状のガラス製容器を任意の半径の円弧状に曲げ、適当な大きさの気泡を残して液体を封入したものである。図１２に示す勾配定規は、底面に当接面１１’を有する定規本体１００’と、定規本体１００’側面に配設された円弧状気泡管からなる水準器１６’と、からなる。水準器１６’の両脇には、水準器１６’と同軸的に目盛１５’が設けられている。被計測面に当接面１１’を当てると、被計測面の勾配に合わせて気泡が移動するため、気泡が接した目盛を読みとることで、被計測面の勾配を測定する。
【０００７】
しかしながら、上記の勾配定規は、円弧型気泡管の脇に設けられた目盛を気泡の位置から読みとる形式なので、勾配定規の小型化を目的として円弧の曲率半径を小さくすると、勾配測定の精度が落ちる。また、被計測面に当接面を当てる位置にずれが生じ、計測が不正確となる恐れがある。
【０００８】
さらに、特許文献１に開示されている勾配定規は、両端部に脚をもつ基準台と、基準台に取り付けられた気泡管と、からなる。両端部の脚を被計測面に載置した状態で、一方の脚をギア機構を用いて上下に微調整することにより気泡管を用いて基準台を水平状態とし、勾配を測定する。
【０００９】
しかしながら、特許文献１に記載の勾配定規を用いて正確な測定を行うためには２本の脚の間にある程度の間隔が必要であるため、上記の勾配定規は携帯に便利であるとは言い難い。また、特許文献１に記載の勾配定規は、被計測面には脚が２本載置されるだけなので安定が悪く、足場の悪い作業条件の下で基準台を水平状態に正確に調整することは、困難である。
【００１０】
【特許文献１】
特開平０９−１４５３６５号公報
【００１１】
【発明が解決しようとする課題】
本発明の目的は、従来品よりも小型であり、足場の悪い場所でも安全に正確な勾配測定を容易に行える勾配定規を提供することである。
【００１２】
【課題を解決するための手段】
本発明の勾配定規は、被計測面に当接する当接面を有する計測部材と、該当接面に平行な回動中心軸をもって該計測部材と軸支され、少なくとも該回動中心軸に垂直な面内での水平度を検出する水準器を有する水平基準部材と、からなり、前記当接面が被計測面に当接した状態で、前記水準器を用いて前記水平基準部材が水平平面と平行となるように該水平基準部材を回動することにより、水平平面に対する前記測定部材の回動角度を前記被計測面の勾配として計測することを特徴とする。
【００１３】
本発明の勾配定規は、計測部材と水平基準部材の２つの部材からなる簡単な構成である。そして、計測部材と水平基準部材は回動中心で軸支されているので、携帯する場合には小さく折り畳むことが可能である。また勾配測定時には、当接面を被計測面に当接した状態で、水平基準部材が水平平面と平行となるように水平基準部材を回動するだけなので、足場の悪い作業条件でも、簡単に被計測面の勾配を測定することができる。
【００１４】
前記水平基準部材および前記計測部材は、前記回動中心軸に垂直かつ前記回動中心軸を中心とした角度目盛をもつ目盛表示面および回動角度を示す基準線部の一方および他方を有するのが好ましい。
【００１５】
前記水平基準部材は、コンベックススケールのケースであるのが好ましい。コンベックススケールと勾配定規とが一体であれば、携帯に便利である。また、コンベックススケールと勾配定規を同時に持つことがないので、ロープにぶら下がった状態や、急斜面などの足場の悪い場所でも、安全に勾配と寸法の測定ができる。
【００１６】
前記水準器は、水平面を検出する平面計であるのが好ましい。水平基準部材の水準器が平面計であれば、当接面を被計測面の適切な方向に当接させることができるので、正確な測定が可能となる。
【００１７】
前記計測部材は、前記水平基準部材と嵌合する断面コ字型形状であるのが好ましい。計測部材が水平基準部材と嵌合する断面コ字型形状であると、携帯する場合に小さく折り畳むことが可能である。また、断面コ字型形状の計測部材は、計測部材が歪んだり、ねじれたりするのを防止できる。さらに、計測部材が断面コ字型形状であれば当接面を広くすることができるので、当接面を被計測面に対して安定に当接することができる。
【００１８】
前記計測部材は、前記回動中心軸の水平度を検出する水準器を有するのが好ましい。前記回動中心軸の水平度を検出すれば、当接面を被計測面の適切な方向に当接させることができるので、正確な測定が可能となる。
【００１９】
また、本発明の別の形態の勾配定規は、被計測面に当接させる当接面と、水平平面を検出する平面計と、水平平面に対する該当接面の傾きを前記被計測面の勾配として計測する勾配計測手段と、を有することを特徴とする。平面計を有する勾配定規は、当接面を被計測面の適切な方向に当接させることができるので、従来の勾配定規よりもさらに正確に勾配を測定することができる。
【００２０】
前記平面計は、互いに直交する方向の水平度を検知する２個の線型水準器からなるのが望ましい。
【００２１】
【発明の実施の形態】
以下に、本発明の勾配定規の実施の形態を説明する。
【００２２】
本発明の勾配定規は、当接面を有する計測部材と、該当接面に平行な回動中心軸をもって該計測部材と軸支され、少なくとも該回動中心軸に垂直な面内での水平度を検出する水準器を有する水平基準部材と、からなる。
【００２３】
計測部材は、勾配定規の使用中や携帯の際に変形しない材質であれば特に限定はないが、金属製や樹脂製などの材質が好ましい。また、計測部材は、当接面を有する。当接面は、回動中心軸に平行で、被計測面に当接できる平面を有するものであれば特に限定はないが、面積の広い当接面であれば、被計測面に当接面を当接させる際に、被計測面に対して垂直に当接することができ、傾くことを防止できる。すなわち、被計測面に対して直角方向に安定に当接させることが容易にでき、正確な勾配計測を行うことができる。
【００２４】
計測部材の形状に特に限定はないが、板状のほか、直交した２つの面からなり一方の面を当接面とした断面Ｌ字型形状や、コ字型に配した３つの面からなり他の２つの面に直交した面を当接面とした断面コ字型形状であるのが好ましい。計測部材が断面Ｌ字型形状や断面コ字型形状であれば、計測部材に強度を持たせることができ、当接面が屈曲する心配がない。また、どちらか一方または両方の部材を回動させることにより、水平基準部材を計測部材の凹部に収納することができるため、勾配定規を小さく折り畳むことができる。さらに、計測部材が断面コ字型形状であれば、回動中心軸を２か所で固定できるので、計測部材のねじれが防止できる。
【００２５】
水平基準部材は、勾配定規の使用中や携帯の際に変形しない材質であれば特に限定はないが、金属製や樹脂製などの材質が好ましい。また、水平基準部材の形状にも特に限定はないが、水平基準部材がコンベックススケールのケースであるのが好ましい。水平基準部材にコンベックススケールのケースを用いると、コンベックススケールと勾配定規とを一体にすることがでる。
【００２６】
水平基準部材が有する水準器は、少なくとも回動中心軸に垂直な面内での水平度を検出するものが好ましい。したがって、一方向（一次元）の水平度を測定する円柱（太鼓型）気泡管からなる線型水準器、面（二次元）の水平度を測定する丸型（円形）気泡管や、円柱気泡管を２本垂直方向に組み合わせてなる平面計などの水準器などを用いることができる。
【００２７】
水平基準部材が有する水準器が、水平平面を検出する平面計であれば、勾配計測時に回動中心軸に垂直方向かつ平行方向の水平度を計測することができ、正確な勾配計測が可能となる。水平基準部材が有する水準器が、回動中心軸に垂直方向の水平度のみを計測するものであれば、さらに計測部材に水準器を設けるとよい。この際、計測部材の水準器は、少なくとも回動中心軸の水平度を計測するものが好ましい。水平基準部材に平面計を設けたり、計測部材に少なくとも回動中心軸の水平度を計測する水準器を設けることにより、勾配計測時に回動中心軸に垂直方向かつ平行方向の水平度を計測することが可能となる。その結果、当接面を被計測面の適切な方向に当接させることができるので、正確な勾配計測を行える。
【００２８】
また、水平基準部材および計測部材は、角度目盛をもつ目盛表示面および回動角度を示す基準線部の一方および他方を有するのが好ましい。目盛表示面は、回動中心軸を中心とした角度目盛を有するものが望ましい。角度目盛は、一般に用いられる角度（°）の他、土木工事等で用いられる法勾配や、屋根の勾配を示す寸勾配など、用途に合わせて任意の単位で目盛を設ければよい。基準線部は、Ｖ字型の凸部や凹部を設けたり、線や矢印を付けるなどするのが望ましい。
【００２９】
上記以外にも、水平基準部材に携帯用のハンドルやストラップを付けたり、計測部材の当接面に磁石や滑り止めをつける等してもよい。
【００３０】
上記勾配定規で勾配を測定する場合、計測部材の当接面を被計測面に当接した状態で、水平基準部材に設けられた水準器が水平状態を示すように水平基準部材を回動する。なお、計測部材が水準器を有する場合は、当接面を被計測面に当接する際に水平状態を確保する。そして、水平平面に対する測定部材の回動角度が、被計測面の勾配となる。このとき、目盛表示面があれば、基準線部の示す値を読みとればよい。
【００３１】
また、所望の勾配の分だけ水平基準部材に対して測定部材を回動させた状態で、被計測面に計測部材の当接面を当接し、水平基準部材に設けられた水準器が水平状態を示すかどうかを確認することにより、被計測面が所望の勾配を満たしているかどうかの判定を行うことも可能である。
【００３２】
本発明の別の形態の勾配定規は、被計測面に当接させる当接面と、水平平面を検出する平面計と、水平平面に対する該当接面の傾きを前記被計測面の勾配として計測する勾配計測手段と、を有することを特徴とする。
【００３３】
本発明の勾配定規は、従来より一般的に用いられている勾配定規において、水準器を平面計としたものである。平面計としては、丸型（円形）気泡管からなる水準器の他、互いに直交する方向の水平度を検知する２個の線型水準器などを用いることができる。
【００３４】
具体的には、図１１に示した従来の勾配定規において中央に位置する回転可能な気泡管６’の回転軸方向に線形水準器を配設したり、図１２に示した従来の勾配定規において円弧型気泡管１６’と直交するように線形水準器を配設して、水平平面を検出する形態とすればよい。また、図１１や特許文献１に記載の従来の勾配定規において、気泡管を平面計としてもよい。
【００３５】
上記の勾配定規で勾配を測定する際には、水準器が水平状態を示すように当接面を被計測面に当接させればよい。
【００３６】
【実施例】
本発明の勾配定規の実施例を、図を用いて説明する。
【００３７】
（実施例１）
図１〜６は、実施例１の勾配定規を示したものである。図１，２，３は、それぞれ本実施例の勾配定規の正面図、平面図、左側面図である。
【００３８】
本実施例の勾配定規は、計測部材１０と、水平基準部材であるコンベックススケールのケース２０（以下、ケース２０とする）と、からなる。
【００３９】
本実施例の計測部材１０は、図４の斜視図に示す形状を有する。計測部材１０は、断面コ字型形状を有し、長方形のアルミ板材をコ字型に曲げた形状である。向かい合う平面部１２，１３は互いに平行で、平面部１２，１３と直交する平面部１１が、勾配を計測する場合に被計測面に当接させる当接面１１となる。平面１２，１３の当接面１１側の角部には、計測部材１０とケース２０とを軸支するための貫通孔１４が設けられており、向かい合う平面部１２，１３を垂直に貫通する孔である。したがって、貫通孔１４は、当接面１１とは平行である。また、平面部１２の当接面１１と平行な辺部には、Ｖ字型の凹部からなる基準線部１５が形成されている。
【００４０】
ケース２０は、樹脂製で、内部に巻き尺テープ２９が収納された一般的なコンベックススケールのケースである。ケース２０は、ほぼ正方形であって、上記した測定部材１０の凹部（コ字型断面）に嵌合する厚みを有する。
【００４１】
ケース２０の角部には、計測部材１０とケース２０とを軸支するための貫通孔２４が、ケース２０に対して垂直に設けられている。また、ケース２０の上部に水準器２６が設置される。水準器２６は、アルコール２６６を入れた円柱状のガラス管２６０に気泡２６１を入れて密封された円柱気泡管からなる。なお、水準器２６は、貫通孔２４（つまり後述する回動軸３０）に垂直な面内での水平度を検出する。
【００４２】
ケース２０の正面には、貫通孔２４を中心として角度を示した角度目盛２５を表示する。本実施例では、土木工事で用いられる法勾配による勾配の値を角度目盛２５に表示した。ケース２０および角度目盛２５の部分拡大図を図６に示す。例えば、図６のＡ，Ｂ，Ｃの値は、それぞれ、図７のＡ，Ｂ，Ｃに図示した垂直距離に対する水平距離の割合で表現される。ここで、図７の１は水平平面を、２は被計測面を示す。
【００４３】
計測部材１０とケース２０は、それぞれの貫通孔１４，２４に差し込まれた回動軸３０により回動可能に軸支される。回動軸３０は、当接面１１と平行となる。
【００４４】
図５は、本実施例の勾配定規を用いて勾配測定を行った場合の正面図である。本実施例の勾配定規で被計測面２を計測する場合は、はじめに、計測部材１０の当接面１１を被計測面２に当接する。その後、水準器２６の気泡２６１が２本の標線２６５の間の中央で静止するようにケース２０を回動して、ケース２０を水平にする。この際、水準器２６は、回動軸３０に垂直な面内での水平度を検出できるように設置されているため、ケース２０は、水平平面１に対して平行となる。このとき、基準線部１５が指し示している角度目盛２５の値（図５の場合は１．００割）が被計測面２の勾配となる。
【００４５】
また、被計測面の勾配が所望の勾配であることを確認するためには、基準線部１５が角度目盛２５の所望の値を示すように、計測部材１０を回動させる。次に、基準線部１５が所望の値を示した状態を保ったまま、当接面１１を被計測面に当接する。このとき、ケース２０の水準器２６が水平状態を示せば、被計測面が所望の勾配をもつことが確認できる。逆に、水準器２６が水平状態を示さなければ、被計測面は、所望の勾配になっていないことが分かる。
【００４６】
（実施例２）
図８は、実施例２の勾配定規のＤ．正面図とＥ．左側面図を示したものである。
【００４７】
本実施例の勾配定規は、計測部材１０に水準器１６を設置した以外は、実施例１と同様である。
【００４８】
計測部材１０の水準器１６は、円柱気泡管からなり、当接面１１の上部に当接面と平行に設置されている。すなわち水準器１６は、当接面１１と平行である回動軸３０の水平度を計測する。
【００４９】
本実施例の勾配定規を用いて勾配測定を行うには、はじめに、計測部材１０の当接面１１を被計測面に当接する。この際、水準器１６の気泡１６１が２本の標線１６５の間の中央で静止するように当接する向きを調整し、回動軸３０を水平にする。その後、水準器２６の気泡２６１が２本の標線２６５の間の中央で静止するようにケース２０を回動して、ケース２０を水平にする。このとき、基準線部１５が指し示している角度目盛２５の値が、被計測面の勾配となる。
【００５０】
また、被計測面の勾配が所望の勾配であることを確認するためには、基準線部１５が角度目盛２５の所望の値を示すように、計測部材１０を回動させる。次に、基準線部１５が所望の値を示した状態を保ったまま、当接面１１を被計測面に当接する。当接の際には、計測部材１０の水準器１６が水平を示すように当接面１１の向きを調整する。このとき、ケース２０の水準器２６が水平状態を示せば、被計測面が所望の勾配をもつことが確認できる。逆に、水準器２６が水平状態を示さなければ、被計測面は、所望の勾配になっていないことが分かる。
【００５１】
本実施例の勾配定規を使用すれば、正確な勾配測定が可能となる。
【００５２】
（実施例３）
図９は、実施例３の勾配定規のＦ．正面図とＧ．平面図を示したものである。
【００５３】
本実施例の勾配定規は、水平基準部材２０の水準器２６を丸型気泡管からなる水準器２７とし、水平基準部材２０の角度目盛２５に変えて計測部材１０に角度目盛１８を表示した以外は、実施例１と同様である。
【００５４】
計測部材１０は、実施例１と同様な平面部１１〜１３からなる断面コ字型形状であって、平面部１１は当接面１１である。互いに平行に向かい合う平面部１２，１３のうち、平面部１２には、回動軸３０を中心とした角度目盛１８（角度の値は図示せず）が表示される。平面部１２の辺部は、角度目盛１８に沿って円弧状に切り取られている。
【００５５】
ケース２０の上部には、水準器２７が設置される。水準器２７は、アルコール２７６を入れた円筒形のガラス管２７０に気泡２７１を入れて密封された円柱気泡管である。なお、水準器２７は、回動軸３０に垂直な面内での水平度を検出する。
【００５６】
また、ケース２０の正面には、回動角度を矢印で示す基準線部２８を表示する。基準線部２８は、平面部１２が円弧状の形状となっているため、計測部材１０のケース２０に対する回動角度を表示することができる。
【００５７】
本実施例の勾配定規を用いて勾配測定を行うには、計測部材１０の当接面１１を被計測面に当接した状態で、水準器２７の気泡２７１がガラス管２７０と同心円の円形の標線２７５の中心で静止するように、計測部材１０の当接位置を調整しつつケース２０を回動する。このとき、基準線部２８が指し示している角度目盛１８の値が、被計測面の勾配となる。
【００５８】
また、被計測面の勾配が所望の勾配であることを確認するためには、基準線部２８が角度目盛１８の所望の値を示すように、計測部材１０を回動させる。次に、基準線部２８が所望の値を示した状態を保ったまま、当接面１１を被計測面に当接する。当接位置を調整して、ケース２０の水準器２７が水平状態を示せば、被計測面が所望の勾配をもつことが確認できる。逆に、水準器２７が水平状態を示さなければ、被計測面は、所望の勾配になっていないことが分かる。
【００５９】
本実施例の勾配定規を使用すれば、正確な勾配測定が可能となる。
【００６０】
（実施例４）
図１０は、実施例４の勾配定規の斜視図を示す。
【００６１】
本実施例の勾配定規は、被計測面に当接する当接面１１１と、水平平面を検出するための水準器１１２，１１３と、勾配測定手段１１０と、からなる。
【００６２】
勾配測定手段１１０は、樹脂製で、内部に巻き尺テープ１２９が収納された一般的なコンベックススケールのケースである。ケース２０はほぼ正方形で、ケース２０の底面は勾配計測時に被計測面に当接する当接面１１１である。また、ケース２０の側面には、円弧型の気泡管からなる水準器１１３が埋め込まれている。水準器１１３として用いられる円弧型気泡管は、任意の半径の円弧状に曲げられた円柱状のガラス管１３０に、適当な大きさの気泡１３１を残してアルコール１３６を封入したものである。水準器１１３の両側には、ガラス管１３０と同軸的に、角度目盛１２５を表示する。
【００６３】
水準器１１２は、円柱気泡管であり、水準器１１３が埋め込まれた面に対して垂直となるように、勾配測定手段１１０の上部に設置されている。すなわち、水準器１１２と水準器１１３とで、水平平面を検出できる。
【００６４】
当接面１１１が水平平面と平行になっている場合は、水準器１１２の気泡１２１は標線１２５の間の中央で静止し、水準器１１３の気泡１３１は角度目盛１２５の０°を示す。
【００６５】
本実施例の勾配定規を用いて勾配測定を行う場合は、水準器１１２の気泡１２１が２本の標線１２５の間の中央で静止するように、当接面１１１を被計測面に当接させる。このとき、水準器１３０の気泡１３１と接した角度目盛１２５を読みとることにより、被計測面の勾配が得られる。
【００６６】
【発明の効果】
本発明の勾配定規は、被計測面に当接する当接面を有する計測部材と、該当接面に平行な回動中心軸をもって該計測部材と軸支され、少なくとも該回動中心軸に垂直な面内での水平度を検出する水準器を有する水平基準部材と、からなり、前記当接面が被計測面に当接した状態で、前記水準器を用いて前記水平基準部材が水平平面と平行となるように該水平基準部材を回動することにより、水平平面に対する前記測定部材の回動角度を前記被計測面の勾配として計測することを特徴とする。
【００６７】
本発明の勾配定規は、計測部材と水平基準部材の２つの部材からなる簡単な構成である。そして、計測部材と水平基準部材は回動中心で軸支されているので、携帯する場合には小さく折り畳むことが可能である。また勾配測定時には、当接面を被計測面に当接した状態で、水平基準部材が水平平面と平行となるように水平基準部材を回動するだけなので、簡単に被計測面の勾配を測定することができる。
【００６８】
さらに、コンベックススケールと勾配定規とを一体とした構成の勾配定規は、携帯に便利で、コンベックススケールと勾配定規を同時に持つ必要がないため、ロープにぶら下がった状態や、急斜面などの足場の悪い場所でも、安全に勾配と寸法の測定ができる。
【００６９】
また、本発明の別の形態の勾配定規は、被計測面に当接させる当接面と、水平平面を検出する平面計と、水平平面に対する該当接面の傾きを前記被計測面の勾配として計測する勾配計測手段と、を有することを特徴とする。平面計を有する勾配定規は、従来の勾配定規よりもさらに正確に勾配を測定することができる。
【図面の簡単な説明】
【図１】実施例１の勾配定規の正面図である。
【図２】実施例１の勾配定規の平面図である。
【図３】実施例１の勾配定規の左側面図である。
【図４】実施例１の勾配定規の計測部材の斜視図である。
【図５】実施例１の勾配定規を用いて勾配を計測した場合の平面図である。
【図６】実施例１の勾配定規の水平基準部材（ケース）の部分拡大図である。
【図７】実施例１の勾配定規に用いた角度目盛の説明図である。
【図８】実施例２の勾配定規のＤ．正面図とＥ．左側面図である。
【図９】実施例３の勾配定規のＦ．正面図とＧ．平面図である。
【図１０】実施例４の勾配定規の斜視図である。
【図１１】従来の勾配定規の正面図である。
【図１２】従来の勾配定規の正面図である。
【符号の説明】
１０：計測部材
２０：水平基準部材（ケース）
３０：回動中心軸（回動軸）
１１，１１１：当接面
１５，２８：基準線部
１８，２５，１２５：角度目盛
１６，２６，２７，１１２，１１３：水準器
２９，１２９：巻き尺テープ
【図１】
2004226390.tif 000003
【図２】
2004226390.tif 000004
【図３】
2004226390.tif 000005
【図４】
2004226390.tif 000006
【図５】
2004226390.tif 000007
【図６】
2004226390.tif 000008
【図７】
2004226390.tif 000009
【図８】
2004226390.tif 000010
【図９】
2004226390.tif 000011
【図１０】
2004226390.tif 000012
【図１１】
2004226390.tif 000013
【図１２】
2004226390.tif 000014